(57)【要約】【課題】  アクセル踏み込み待機からのパワーオン発進時、発進開始からの高いトルクダウン応答による有効なクラッチ発熱の低減によりクラッチ保護を達成することができるハイブリッド車両の発進制御装置を提供すること。【解決手段】  少なくともエンジンＥ、モータジェネレータMG、第２クラッチCL2、駆動輪RR,RLの順に接続してハイブリッド駆動系を構成したハイブリッド車両において、ドライバのアクセル踏み込み操作による待機状態からの発進時、前記第２クラッチCL2への入力トルクを前記モータジェネレータMGに対するトルク制御により絞り、かつ、前記第２クラッチCL2を滑り締結させることで駆動力を出すパワーオン発進制御手段を設けた。【選択図】        図９
2006315488.tif 000002
【特許請求の範囲】
【請求項１】
少なくともエンジン、モータジェネレータ、クラッチ、駆動輪の順に接続してハイブリッド駆動系を構成したハイブリッド車両において、
ドライバのアクセル踏み込み操作による待機状態からの発進時、前記クラッチへの入力トルクを前記モータジェネレータに対するトルク制御により絞り、かつ、前記クラッチを滑り締結させることで駆動力を出すパワーオン発進制御手段を設けたことを特徴とするハイブリッド車両の発進制御装置。
【請求項２】
請求項１に記載されたハイブリッド車両の発進制御装置において、
前記パワーオン発進制御手段は、前記滑り締結されているクラッチの入力回転と出力回転とが同期した時点で、前記クラッチを完全締結することを特徴とするハイブリッド車両の発進制御装置。
【請求項３】
請求項１または２に記載されたハイブリッド車両の発進制御装置において、
前記パワーオン発進制御手段は、アクセル踏み込み待機時、目標エンジントルクを、アクセル開度に応じた目標エンジン回転数を得る目標回転数エンジントルクに設定し、目標クラッチ締結トルクをゼロとし、目標モータトルクを、前記目標エンジン回転数を維持するトルクに設定することを特徴とするハイブリッド車両の発進制御装置。
【請求項４】
請求項３に記載されたハイブリッド車両の発進制御装置において、
前記パワーオン発進制御手段は、前記モータジェネレータに接続されるバッテリへの入力可能電力に基づくバッテリ入力可能トルクを制限値とし、前記目標エンジントルクと前記目標モータトルクを設定することを特徴とするハイブリッド車両の発進制御装置。
【請求項５】
請求項１乃至４の何れか１項に記載されたハイブリッド車両の発進制御装置において、
前記パワーオン発進制御手段は、発進開始から前記クラッチの入出力回転が同期するまで、目標エンジントルクを、モータトルクを考慮しながら駆動力要求を満たすトルクに設定し、目標クラッチ締結トルクを、アクセル開度に応じた目標エンジン回転数を維持するクラッチ締結トルクとし、目標モータトルクを、前記クラッチへの入力トルクが、前記目標クラッチ締結トルクによる伝達トルク分と前記クラッチの滑り分トルクとを加算したトルクとなるように制御することを特徴とするハイブリッド車両の発進制御装置。
【請求項６】
請求項５に記載されたハイブリッド車両の発進制御装置において、
前記パワーオン発進制御手段は、前記目標クラッチ締結トルクに制限値を設け、該制限値を、クラッチ滑り量と現在の油温から、完全締結時におけるクラッチフェーシング温度上昇を求め、この温度上昇によりクラッチ保護温度内に収まる最も高い締結トルクとすることを特徴とするハイブリッド車両の発進制御装置。
【請求項７】
請求項１または２に記載されたハイブリッド車両の発進制御装置において、
前記パワーオン発進制御手段は、アクセル踏み込み待機時、目標エンジントルクを、アクセル開度に応じた目標エンジン回転数を得る目標回転数エンジントルクに設定し、目標クラッチ締結トルクをゼロとし、目標モータトルクをゼロに設定することを特徴とするハイブリッド車両の発進制御装置。
【請求項８】
請求項７に記載されたハイブリッド車両の発進制御装置において、
前記パワーオン発進制御手段は、発進開始から前記クラッチの入出力回転が同期するまで、目標エンジントルクを、モータトルクを考慮しながら駆動力要求を満たすトルクに設定し、目標クラッチ締結トルクを、エンジン回転数を低下させるように高くするクラッチ締結トルクとし、目標モータトルクを、前記クラッチへの入力トルクが、前記目標クラッチ締結トルクによる伝達トルク分と前記エンジン回転数を低下させるイナーシャ分トルクとを加算したトルクとなるように制御することを特徴とするハイブリッド車両の発進制御装置。
【請求項９】
請求項８に記載されたハイブリッド車両の発進制御装置において、
前記パワーオン発進制御手段は、アクセル踏み込み状況によってドライバの加速要求を判断し、前記目標クラッチ締結トルクを、加速要求に応じて高めることを特徴とするハイブリッド車両の発進制御装置。
【請求項１０】
請求項９に記載されたハイブリッド車両の発進制御装置において、
前記目標クラッチ締結トルクは、アクセル開度が大であるほど上昇傾き勾配値が大きなランプ制御により高めることを特徴とするハイブリッド車両の発進制御装置。
【請求項１１】
請求項１乃至１０の何れか１項に記載されたハイブリッド車両の発進制御装置において、
前記ハイブリッド駆動系は、エンジンとモータジェネレータとの間に第１クラッチを介装すると共に前記モータジェネレータと駆動輪との間に第２クラッチを介装して構成し、
前記第２クラッチは、上記クラッチに相当すると共に、前記モータジェネレータと前記駆動輪との間に配置された自動変速機内の発進締結要素であることを特徴とするハイブリッド車両の発進制御装置。
【発明の詳細な説明】
【技術分野】
【０００１】
本発明は、少なくともエンジン、モータジェネレータ、クラッチ、駆動輪の順に接続してハイブリッド駆動系を構成したハイブリッド車両の発進制御装置に関する。
【背景技術】
【０００２】
従来、エンジン車両の駆動系構成要素であるエンジンとトランスミッションとの間に、エンジン出力軸の締結開放を行うクラッチを配置し、該クラッチとトランスミッションとの間にモータジェネレータを配置したハイブリッド駆動系を持つハイブリッド車両が知られている（例えば、特許文献１参照）。
【０００３】
このハイブリッド車両では、前記駆動系のモータジェネレータに、エンジンスタータ機能と、モータ走行時の動力源機能と、協調回生時の発電機能と、オルタネータの発電機能とを持たせることができ、この結果、スタータやオルタネータを廃止できる。
【特許文献１】特開平１１−８２２６０号公報
【発明の開示】
【発明が解決しようとする課題】
【０００４】
しかしながら、上記ハイブリッド車両にあっては、ドライバのアクセル踏み込み操作によりエンジントルクを発生させながらニュートラルレンジ位置（＝Ｎレンジ位置）で待機し、Ｎレンジ位置から走行レンジ位置（＝Ｄレンジ位置）へと切り替えて発進させるとき、トランスミッション内のクラッチを締結すると、アクセル開度に応じてエンジン回転数が上昇するため、クラッチ締結時に差回転が大きくなるし、クラッチ入力トルクも高いことで、急激な発熱によりクラッチが損傷するおそれがある、という問題がある。
【０００５】
そこで、トランスミッション内のクラッチを保護するために、エンジン側でトルクダウン制御を実行すると、トルクダウン指令から実際にトルクダウンするまでの応答が遅く、Ｎ→Ｄセレクトによるパワーオン発進時において、クラッチ発熱を低減する有効な手段とはなり得ない、という問題がある。
【０００６】
本発明は、上記問題に着目してなされたもので、アクセル踏み込み待機からのパワーオン発進時、発進開始からの高いトルクダウン応答による有効なクラッチ発熱の低減によりクラッチ保護を達成することができるハイブリッド車両の発進制御装置を提供することを目的とする。
【課題を解決するための手段】
【０００７】
上記目的を達成するため、本発明では、少なくともエンジン、モータジェネレータ、クラッチ、駆動輪の順に接続してハイブリッド駆動系を構成したハイブリッド車両において、
ドライバのアクセル踏み込み操作による待機状態からの発進時、前記クラッチへの入力トルクを前記モータジェネレータに対するトルク制御により絞り、かつ、前記クラッチを滑り締結させることで駆動力を出すパワーオン発進制御手段を設けたことを特徴とする。
【発明の効果】
【０００８】
よって、本発明のハイブリッド車両の発進制御装置にあっては、パワーオン発進制御手段において、ドライバのアクセル踏み込み操作による待機状態からの発進時、クラッチへの入力トルクがモータジェネレータに対するトルク制御により絞られ、かつ、クラッチを滑り締結させることで駆動力が出される。すなわち、クラッチへの入力トルクは、エンジントルクとモータジェネレータトルクとの和により決まるが、エンジントルク制御は行わず、モータジェネレータトルクを負のトルク（回生トルク）とする制御を行うことで、クラッチへの入力トルクが絞られる。このため、入力トルクと差回転に応じて発熱する滑り締結状態のクラッチでは、入力トルクの絞りと差回転の低下によりクラッチ温度上昇が抑えられ、クラッチの熱損傷を低減できる。加えて、クラッチへの入力トルクを絞る際、制御応答の速いモータジェネレータに対するトルク制御により行うようにしているため、発進開始直後から、応答良くクラッチへの入力トルクが絞られることになり、エンジンのトルクダウン制御を行う場合に比べ、高いトルクダウン応答性が確保される。この結果、アクセル踏み込み待機からのパワーオン発進時、発進開始からの高いトルクダウン応答による有効なクラッチ発熱の低減によりクラッチ保護を達成することができる。
【発明を実施するための最良の形態】
【０００９】
以下、本発明のハイブリッド車両の発進制御装置を実現する最良の形態を、図面に示す実施例１および実施例２に基づいて説明する。
【実施例１】
【００１０】
まず、ハイブリッド車両の駆動系構成を説明する。
図１は実施例１の発進制御装置が適用された後輪駆動によるハイブリッド車両を示す全体システム図である。実施例１におけるハイブリッド車の駆動系は、図１に示すように、エンジンＥと、モータジェネレータMGと、第１クラッチCL1と、第２クラッチCL2（クラッチ）と、自動変速機ATと、プロペラシャフトPSと、ディファレンシャルDFと、左ドライブシャフトDSLと、右ドライブシャフトDSRと、左後輪RL（駆動輪）と、右後輪RR（駆動輪）と、を有する。
【００１１】
前記エンジンＥは、ガソリンエンジンやディーゼルエンジンであり、後述するエンジンコントローラ１からの制御指令に基づいて、スロットルバルブのバルブ開度等が制御される。
【００１２】
前記モータジェネレータMGは、ロータに永久磁石を埋設しステータにステータコイルが巻き付けられた同期型モータジェネレータであり、後述するモータコントローラ２からの制御指令に基づいて、インバータ３により作り出された三相交流を印加することにより制御される。このモータジェネレータMGは、バッテリ４からの電力の供給を受けて回転駆動する電動機として動作することもできるし（以下、この状態を「力行」と呼ぶ）、ロータが外力により回転している場合には、ステータコイルの両端に起電力を生じさせる発電機として機能してバッテリ４を充電することもできる（以下、この動作状態を「回生」と呼ぶ）。なお、このモータジェネレータMGのロータは、図外のダンパーを介して自動変速機ATの入力軸に連結されている。
【００１３】
前記第１クラッチCL1は、前記エンジンＥとモータジェネレータMGとの間に介装された油圧式多板クラッチであり、後述する第１クラッチコントローラ５からの制御指令に基づいて、第１クラッチ油圧ユニット６により作り出された制御油圧により、スリップ締結とスリップ開放を含み締結・開放が制御される。
【００１４】
前記第２クラッチCL2は、前記モータジェネレータMGと左右後輪RL,RRとの間に介装された油圧式多板クラッチであり、後述するＡＴコントローラ７からの制御指令に基づいて、第２クラッチ油圧ユニット８により作り出された制御油圧により、スリップ締結とスリップ開放を含み締結・開放が制御される。
【００１５】
前記自動変速機ATは、例えば、前進５速後退１速や前進６速後退１速等の有段階の変速比を車速やアクセル開度等に応じて自動的に切り換える変速機であり、前記第２クラッチCL2は、専用クラッチとして新たに追加したものではなく、自動変速機ATの各変速段にて締結される複数の摩擦締結要素のうち１つの発進締結要素を流用している。そして、前記自動変速機ATの出力軸は、プロペラシャフトPS、ディファレンシャルDF、左ドライブシャフトDSL、右ドライブシャフトDSRを介して左右後輪RL,RRに連結されている。
【００１６】
次に、ハイブリッド車両の制御系を説明する。
実施例１におけるハイブリッド車両の制御系は、図１に示すように、エンジンコントローラ１と、モータコントローラ２と、インバータ３と、バッテリ４と、第１クラッチコントローラ５と、第１クラッチ油圧ユニット６と、ＡＴコントローラ７と、第２クラッチ油圧ユニット８と、ブレーキコントローラ９と、統合コントローラ１０と、を有して構成されている。なお、エンジンコントローラ１と、モータコントローラ２と、第１クラッチコントローラ５と、ＡＴコントローラ７と、ブレーキコントローラ９と、統合コントローラ１０とは、互いに情報交換が可能なＣＡＮ通信線１１を介して接続されている。
【００１７】
前記エンジンコントローラ１は、エンジン回転数センサ１２からのエンジン回転数情報を入力し、統合コントローラ１０からの目標エンジントルク指令等に応じ、エンジン動作点（Ne,Te）を制御する指令を、例えば、図外のスロットルバルブアクチュエータへ出力する。なお、エンジン回転数Neの情報は、ＣＡＮ通信線１１を介して統合コントローラ１０へ供給する。
【００１８】
前記モータコントローラ２は、モータジェネレータMGのロータ回転位置を検出するレゾルバ１３等からの情報を入力し、統合コントローラ１０からの目標モータジェネレータトルク指令等に応じ、モータジェネレータMGのモータ動作点（Nm,Tm）を制御する指令をインバータ３へ出力する。なお、このモータコントローラ２では、バッテリ４の充電状態をあらわすバッテリSOCを監視していて、バッテリSOC情報は、モータジェネレータMGの制御情報に用いると共に、ＣＡＮ通信線１１を介して統合コントローラ１０へ供給する。
【００１９】
前記第１クラッチコントローラ５は、第１クラッチ油圧センサ１４と第１クラッチストロークセンサ１５等からのセンサ情報を入力し、統合コントローラ１０からの第１クラッチ制御指令に応じ、第１クラッチCL1の締結・開放を制御する指令を第１クラッチ油圧ユニット６に出力する。なお、第１クラッチストロークC1Sの情報は、ＣＡＮ通信線１１を介して統合コントローラ１０へ供給する。
【００２０】
前記ATコントローラ７は、アクセル開度センサ１６と車速センサ１７と第２クラッチ油圧センサ１８とインヒビタースイッチ２４等からのセンサ情報を入力し、統合コントローラ１０からの第２クラッチ制御指令に応じ、変速制御における第２クラッチ制御に優先し、第２クラッチCL2の締結・開放を制御する指令をAT油圧コントロールバルブ内の第２クラッチ油圧ユニット８に出力する。なお、アクセル開度APと車速VSPの情報は、ＣＡＮ通信線１１を介して統合コントローラ１０へ供給する。
【００２１】
前記ブレーキコントローラ９は、４輪の各車輪速を検出する車輪速センサ１９とブレーキストロークセンサ２０等からのセンサ情報を入力し、例えば、ブレーキ踏み込み制動時、ブレーキストロークBSから求められる要求制動力に対し回生制動力だけでは不足する場合、その不足分を機械制動力（液圧制動力やモータ制動力）で補うように、統合コントローラ１０からの回生協調制御指令に基づいて回生協調ブレーキ制御を行う。
【００２２】
前記統合コントローラ１０は、車両全体の消費エネルギを管理し、最高効率で車両を走らせるための機能を担うもので、モータ回転数Nmを検出するモータ回転数センサ２１と、第２クラッチ出力回転数N2outを検出する第２クラッチ出力回転数センサ２２と、第２クラッチトルクTCL2を検出する第２クラッチトルクセンサ２３等からの情報およびＣＡＮ通信線１１を介して得られた情報を入力する。そして、前記エンジンコントローラ１への制御指令によりエンジンＥの動作制御を行い、前記モータコントローラ２への制御指令によりモータジェネレータMGの動作制御を行い、前記第１クラッチコントローラ５への制御指令により第１クラッチCL1の締結・開放制御を行い、前ＡＴコントローラ７への制御指令により第２クラッチCL2の締結・開放制御を行う。
なお、第１クラッチCL1と第２クラッチCL2の入出力回転数情報は、
第１クラッチ入力回転数＝エンジン回転数Ne（エンジン回転数センサ１２）
第１クラッチ出力回転数＝モータ回転数Nm（モータ回転数センサ２１）
第２クラッチ入力回転数＝モータ回転数Nm（モータ回転数センサ２１）
第２クラッチ出力回転数＝第２クラッチ出力回転数N2out（第２クラッチ出力回転数センサ２２）
により得られる。
【００２３】
次に、第１実施例のハイブリッド車両の基本動作モードについて説明する。
停止中：停止中において、バッテリSOCの低下時であれば、エンジンＥを始動して発電を行い、バッテリ４を充電する。そして、バッテリSOCが通常範囲になれば、第１クラッチCL1は締結で第２クラッチCL2は開放のままでエンジンＥを停止する。
発進時：エンジン発進時には、アクセル開度APとバッテリSOC状態によって、モータジェネレータMGを連れ回し、力行／発電に切り替える。モータ発進時で、ロールバックにより自動変速機ATの出力回転が負回転となったら、第２クラッチCL2のスリップ制御を行い、モータジェネレータMGの回転を正回転に維持する。次に、駆動力を車両が前進するまで上昇させ、第２クラッチCL2をスリップ制御から締結に移行させる。
走行時（一定速・加速）：モータ走行は、エンジン始動に必要なモータトルクとバッテリ出力を確保し、不足する場合はエンジン走行に移行する。燃費向上のために、モータ走行と発電上乗せ充電はセットで行う（モータトルクとバッテリ出力の制約により、走行可能範囲は、低負荷に限定される）。発電上乗せ充電は、エンジン燃料消費の最小点を狙い、走行に必要なトルクに発電トルクを上乗せして行う（但し、バッテリSOC上昇時は、発電を行わない）。アクセル踏み込み時のレスポンス向上のために、エンジントルク遅れ分をモータジェネレータMGによりアシストする。
減速時：コースト減速であって、エンジン走行（燃料カット）時は、エンジンブレーキにより減速力を出すこととし、モータ回生時は、エンブレ相当の減速力を出す。ブレーキON減速時には、ドライバーのブレーキ操作に応じた減速力を回生協調ブレーキ制御にて得る。回生を行う車速は、コースト減速と同じとする。
変速時：エンジン走行やモータ走行中における変速時には、加減速中の変速に伴う回転数合わせのために、モータジェネレータMGを回生／力行させ、トルクコンバータ無しでのスムーズな変速を行う。
【００２４】
次に、作用を説明する。
［ハイブリッド駆動制御の全体処理］
図２は実施例１の統合コントローラ１０にて実行されるハイブリッド駆動制御（エンジン制御・モータ制御・第１クラッチ制御・第２クラッチ制御）の全体処理の流れを示すメインフローチャートであり、以下、各ステップについて説明する。この制御は、設定周期毎に繰り返し実行される。
【００２５】
ステップＳ１では、バッテリSOCとバッテリ入力可能電力とアクセル開度により目標駆動力を演算し、ステップＳ２へ移行する。
【００２６】
ステップＳ２では、ステップＳ１での目標駆動力の演算に続き、車速とアクセル開度と変速スケジュールにより目標変速段を演算し、ステップＳ３へ移行する。
【００２７】
ステップＳ３では、ステップＳ２での目標変速段の演算に続き、ステップＳ１で演算された目標駆動力と車速とモードマップにより目標モードを演算し、ステップＳ４へ移行する。
ここで、目標モードとしては、第１クラッチCL1を締結しエンジンＥを主たる動力源とする「エンジン走行モード」と、第１クラッチCL1を開放しモータジェネレータMGを動力源とする「電気自動車モード（以下、「EVモード」）」とがあり、例えば、目標駆動力が大きい領域では、「エンジン走行モード」を選択する。
【００２８】
ステップＳ４では、ステップＳ３での目標モードの演算に続き、ステップＳ１で演算された目標駆動力に基づき目標エンジントルクを演算し（図３のフローチャート）、ステップＳ５へ移行する。
【００２９】
ステップＳ５では、ステップＳ４での目標エンジントルクの演算に続き、「エンジン走行モード」から「EVモード」へのモード遷移か、あるいは、「EVモード」から「エンジン走行モード」へのモード遷移か、を演算し、ステップＳ６へ移行する。
【００３０】
ステップＳ６では、ステップＳ５でのモード遷移の演算に続き、第１クラッチCL1の目標クラッチ締結容量と第２クラッチCL2の目標クラッチ締結容量を演算し（図４のフローチャート）、ステップＳ７へ移行する。
【００３１】
ステップＳ７では、ステップＳ６での目標クラッチ締結容量の演算に続き、目標駆動力が変化する過渡期に目標駆動力過渡補正を行い、ステップＳ８へ移行する。
【００３２】
ステップＳ８では、ステップＳ７での目標駆動力過渡補正に続き、モータジェネレータMGの目標モータトルクを演算し（図５のフローチャート）、ステップＳ９へ移行する。
【００３３】
ステップＳ９では、ステップＳ８での目標モータトルク演算に続き、エンジンコントローラ１、モータコントローラ２、第１クラッチコントローラ５、ＡＴコントローラ７に対する最終指令値を演算し、終了へ移行する。
【００３４】
［目標エンジントルクの演算処理］
図３は図２のステップＳ４にて実行される目標エンジントルクの演算処理の流れを示すフローチャートで、以下、各ステップについて説明する。
ステップＳ41では、目標モードがエンジン走行モードであるか否かが判断され、YESの場合はステップＳ42へ移行し、NOの場合はステップＳ45へ移行する。
ステップＳ42では、ステップＳ41での目標モードがエンジン走行モードであるとの判断に続き、現モードがエンジン走行モードであるか否かが判断され、YESの場合はステップＳ43へ移行し、NOの場合はステップＳ44へ移行する。
ステップＳ43では、ステップＳ42での現モードがエンジン走行モードであるとの判断に続き、エンジン走行モード中の目標エンジントルクの演算を実施し（図６のフローチャート）、終了へ移行する。
ステップＳ44では、ステップＳ42での現モードがEV走行モードであるとの判断に続き、エンジン始動時の目標エンジントルクの演算を実施し、終了へ移行する。
ステップＳ45では、ステップＳ41での目標モードがEV走行モードであるとの判断に続き、現モードがエンジン走行モードであるか否かが判断され、YESの場合はステップＳ46へ移行し、NOの場合はステップＳ47へ移行する。
ステップＳ46では、ステップＳ45での現モードがエンジン走行モードであるとの判断に続き、EVモード移行時の目標エンジントルクの演算を実施し、終了へ移行する。
ステップＳ47では、ステップＳ45での現モードがEV走行モードであるとの判断に続き、EV走行モード中の目標エンジントルクの演算を実施し、終了へ移行する。
【００３５】
［目標クラッチトルクの演算処理］
図４は図２のステップＳ６にて実行される目標クラッチトルクの演算処理の流れを示すフローチャートで、以下、各ステップについて説明する。
ステップＳ61では、目標モードがエンジン走行モードであるか否かが判断され、YESの場合はステップＳ62へ移行し、NOの場合はステップＳ65へ移行する。
ステップＳ62では、ステップＳ61での目標モードがエンジン走行モードであるとの判断に続き、現モードがエンジン走行モードであるか否かが判断され、YESの場合はステップＳ63へ移行し、NOの場合はステップＳ64へ移行する。
ステップＳ63では、ステップＳ62での現モードがエンジン走行モードであるとの判断に続き、エンジン走行モード中の目標クラッチトルクの演算を実施し（図７のフローチャート）、終了へ移行する。
ステップＳ64では、ステップＳ62での現モードがEV走行モードであるとの判断に続き、エンジン始動時の目標クラッチトルクの演算を実施し、終了へ移行する。
ステップＳ65では、ステップＳ61での目標モードがEV走行モードであるとの判断に続き、現モードがエンジン走行モードであるか否かが判断され、YESの場合はステップＳ66へ移行し、NOの場合はステップＳ67へ移行する。
ステップＳ66では、ステップＳ65での現モードがエンジン走行モードであるとの判断に続き、EVモード移行時の目標クラッチトルクの演算を実施し、終了へ移行する。
ステップＳ67では、ステップＳ65での現モードがEV走行モードであるとの判断に続き、EV走行モード中の目標クラッチトルクの演算を実施し、終了へ移行する。
【００３６】
［目標モータトルクの演算処理］
図５は図２のステップＳ８にて実行される目標モータトルクの演算処理の流れを示すフローチャートで、以下、各ステップについて説明する。
ステップＳ81では、目標モードがエンジン走行モードであるか否かが判断され、YESの場合はステップＳ82へ移行し、NOの場合はステップＳ85へ移行する。
ステップＳ82では、ステップＳ81での目標モードがエンジン走行モードであるとの判断に続き、現モードがエンジン走行モードであるか否かが判断され、YESの場合はステップＳ83へ移行し、NOの場合はステップＳ84へ移行する。
ステップＳ83では、ステップＳ82での現モードがエンジン走行モードであるとの判断に続き、エンジン走行モード中の目標モータトルクの演算を実施し（図８のフローチャート）、終了へ移行する。
ステップＳ84では、ステップＳ82での現モードがEV走行モードであるとの判断に続き、エンジン始動時の目標モータトルクの演算を実施し、終了へ移行する。
ステップＳ85では、ステップＳ81での目標モードがEV走行モードであるとの判断に続き、現モードがエンジン走行モードであるか否かが判断され、YESの場合はステップＳ86へ移行し、NOの場合はステップＳ87へ移行する。
ステップＳ86では、ステップＳ85での現モードがエンジン走行モードであるとの判断に続き、EVモード移行時の目標モータトルクの演算を実施し、終了へ移行する。
ステップＳ87では、ステップＳ85での現モードがEV走行モードであるとの判断に続き、EV走行モード中の目標モータトルクの演算を実施し、終了へ移行する。
【００３７】
［エンジン走行モード中の目標エンジントルクの演算処理］
図６は図３のステップＳ43にて実行されるエンジン走行モード中の目標エンジントルクの演算処理の流れを示すフローチャートで、以下、各ステップについて説明する。
【００３８】
ステップＳ43-1では、車速≦判定閾値、かつ、要求駆動力≦０、かつ、アクセル開度>０か否かが判断され、YESの場合はステップＳ43-3へ移行し、NOの場合はステップＳ43-2へ移行する。
つまり、車速条件と要求駆動力条件とアクセル開度条件との３条件の成立判断により、要求駆動力の無い車両停止時（車速≦判定閾値、要求駆動力≦０）、ドライバがアクセル踏み込み操作（アクセル開度>０）によりエンジントルクを発生させながら待機している状況をみている。なお、「要求駆動力」は、アクセル開度から決まる目標回転数エンジントルクで発生できる駆動力とブレーキ踏み込みによる制動力の和により求められる。また、車速≦判定閾値、かつ、要求駆動力≦０という判断に代え、インヒビタースイッチ２４によりＮレンジ位置の選択判断を行っても良く、この場合、Ｎレンジ位置選択、かつ、アクセル開度>０の場合はステップＳ43-3へ移行し、アクセル開度>０のままでのＮ→Ｄセレクト時やＮ→Ｒセレクト時には、ステップＳ43-2へ移行する。
【００３９】
ステップＳ43-2では、ステップＳ43-1での車速条件、要求駆動力条件、アクセル開度条件の少なくとも１つの条件が成立しないとの判断に続き、通常におけるエンジン走行モード中の目標エンジントルクの演算、例えば、アクセル開度に応じた駆動力要求に対しモータトルクを考慮した目標エンジントルクの演算を実施し、終了へ移行する。
【００４０】
ステップＳ43-3では、ステップＳ43-1での車速条件、要求駆動力条件、アクセル開度条件の３条件成立との判断に続き、アクセル開度に応じた設定回転数を目標エンジン回転数として設定し、ステップＳ43-4へ移行する。
【００４１】
ステップＳ43-4では、ステップＳ43-3での目標エンジン回転数の設定に続き、バッテリ入力可能電力（バッテリSOC最大値−バッテリSOC検出値）を回生可能バッテリ電力として設定し、ステップＳ43-5へ移行する。
【００４２】
ステップＳ43-5では、ステップＳ43-4での回生可能バッテリ電力の設定に続き、（回生可能バッテリ電力÷目標エンジン回転数×モータ効率）の式により求められた値を、バッテリ入力可能トルクとして設定し、ステップＳ43-6へ移行する。
【００４３】
ステップＳ43-6では、ステップＳ43-5でのバッテリ入力可能トルクの設定に続き、目標エンジン回転数−アクセル開度テーブルを用いて目標回転数エンジントルクを設定し、ステップＳ43-7へ移行する。
【００４４】
ステップＳ43-7では、ステップＳ43-6での目標回転数エンジントルクの設定に続き、ステップＳ43-5で求められたバッテリ入力可能トルクが、ステップＳ43-6で求められた目標回転数エンジントルク未満か否かが判断され、YESの場合はステップＳ43-8へ移行し、NOの場合はステップＳ43-9へ移行する。
【００４５】
ステップＳ43-8では、ステップＳ43-7でのバッテリ入力可能トルク<目標回転数エンジントルクとの判断に続き、目標エンジントルクにバッテリ入力可能トルクを代入し、終了へ移行する。
【００４６】
ステップＳ43-9では、ステップＳ43-7でのバッテリ入力可能トルク≧目標回転数エンジントルクとの判断に続き、目標エンジントルクに目標回転数エンジントルクを代入し、終了へ移行する。
【００４７】
［エンジン走行モード中の目標クラッチトルクの演算処理］
図７は図４のステップＳ63にて実行される実施例１におけるエンジン走行モード中の目標クラッチトルクの演算処理の流れを示すフローチャートで、以下、各ステップについて説明する。
【００４８】
ステップＳ63-1では、車速≦判定閾値、かつ、要求駆動力≦０、かつ、アクセル開度>０か否かが判断され、YESの場合はステップＳ63-2へ移行し、NOの場合はステップＳ63-3へ移行する。なお、ステップＳ43-1と同様に、車速≦判定閾値、かつ、要求駆動力≦０という判断に代え、インヒビタースイッチ２４によりＮレンジ位置の選択判断を行っても良い。
【００４９】
ステップＳ63-2では、ステップＳ63-1での車速条件、要求駆動力条件、アクセル開度条件の３条件成立との判断に続き、目標第２クラッチトルクに０[Nm]（第２クラッチCL2の開放）を代入し、終了へ移行する。
【００５０】
ステップＳ63-3では、ステップＳ63-1での車速条件、要求駆動力条件、アクセル開度条件の少なくとも１つの条件が成立しないとの判断に続き、第２クラッチCL2にスリップがあるか否かが判断され、YESの場合はステップＳ63-4へ移行し、NOの場合はステップＳ63-9へ移行する。
【００５１】
ステップＳ63-4では、ステップＳ63-3での第２クラッチCL2にスリップがあるとの判断に続き、アクセル開度に応じた設定回転数を目標エンジン回転数として設定し、ステップＳ63-5へ移行する。
ここで、目標エンジン回転数は、バッテリ入力状態によってモータトルクを回生できる範囲内において、アクセル開度に応じた回転数であり、かつ、第２クラッチCL2の締結によるエンジン回転数低下でアイドル回転数を下回らない回転数とされる。
【００５２】
ステップＳ63-5では、ステップＳ63-4での目標エンジン回転数の設定に続き、目標エンジン回転数によりマップで設定されるクラッチトルクを、最終第２クラッチ締結トルク（制限値）として設定し、ステップＳ63-6へ移行する。
ここで、最終第２クラッチ締結トルクは、クラッチ滑り量と現在の油温から、完全締結時におけるクラッチフェーシング温度上昇を求め、この温度上昇によりクラッチ保護温度内に収まる最も高い締結トルクとされる。
【００５３】
ステップＳ63-6では、ステップＳ63-5での最終第２クラッチ締結トルクの設定に続き、現在の第２クラッチ締結トルクが、最終第２クラッチ締結トルク未満かどうかが判断され、YESの場合はステップＳ63-7へ移行し、NOの場合はステップＳ63-8へ移行する。
【００５４】
ステップＳ63-7では、ステップＳ63-6での現在第２クラッチ締結トルク<最終第２クラッチ締結トルクとの判断に続き、（現在第２クラッチ締結トルク）＋｛（最終第２クラッチ締結トルク−現在第２クラッチ締結トルク）÷一定時間｝により算出される締結トルクを、目標第２クラッチ締結トルクとして設定し、終了へ移行する。
【００５５】
ステップＳ63-8では、ステップＳ63-6での現在第２クラッチ締結トルク≧最終第２クラッチ締結トルクとの判断に続き、最終第２クラッチ締結トルクを、目標第２クラッチ締結トルクとして設定し、終了へ移行する。
【００５６】
ステップＳ63-9では、ステップＳ63-3での第２クラッチCL2にスリップが無いとの判断に続き、通常のエンジン走行中における目標第２クラッチ締結トルクの演算を実施し、終了へ移行する。
【００５７】
［エンジン走行モード中の目標モータトルクの演算処理］
図８は図５のステップＳ83にて実行される実施例１におけるエンジン走行モード中の目標モータトルクの演算処理の流れを示すフローチャートで、以下、各ステップについて説明する。
【００５８】
ステップＳ83-1では、車速≦判定閾値、かつ、要求駆動力≦０、かつ、アクセル開度>０か否かが判断され、YESの場合はステップＳ83-2へ移行し、NOの場合はステップＳ83-5へ移行する。なお、ステップＳ43-1と同様に、車速≦判定閾値、かつ、要求駆動力≦０という判断に代え、インヒビタースイッチ２４によりＮレンジ位置の選択判断を行っても良い。
【００５９】
ステップＳ83-2では、ステップＳ83-1での車速条件、要求駆動力条件、アクセル開度条件の３条件成立との判断に続き、バッテリ入力可能トルクが目標エンジントルク以下か否かが判断され、YESの場合はステップＳ83-3へ移行し、NOの場合はステップＳ83-4へ移行する。
【００６０】
ステップＳ83-3では、ステップＳ83-2でのバッテリ入力可能トルク≦目標エンジントルクとの判断に続き、バッテリ入力可能トルクの範囲内で、ＰＩフィードバック制御により目標エンジン回転数を維持するトルクを、目標モータトルク（回生トルク）として設定し、終了へ移行する。
【００６１】
ステップＳ83-4では、ステップＳ83-2でのバッテリ入力可能トルク>目標エンジントルクに続き、目標エンジントルクの範囲内で、ＰＩフィードバック制御により目標エンジン回転数を維持するトルクを、目標モータトルク（回生トルク）として設定し、終了へ移行する。
【００６２】
ステップＳ83-5では、ステップＳ83-1での車速条件、要求駆動力条件、アクセル開度条件の少なくとも１つの条件が成立しないとの判断に続き、第２クラッチCL2にスリップがあるか否かを判断し、YESの場合はステップＳ83-6へ移行し、NOの場合はステップＳ83-7へ移行する。
【００６３】
ステップＳ83-6では、ステップＳ83-5での第２クラッチCL2にスリップがあるとの判断に続き、｛目標回転数エンジントルク−（目標第２クラッチトルク＋スリップ分トルク）｝の式により得られた正のトルクを、符合反転した負の目標モータトルクとして設定し、終了へ移行する。
つまり、第２クラッチCL2が滑り締結状態での目標モータトルクとして、目標回転数エンジントルクとの差であらわされる第２クラッチCL2への入力トルクが、（目標第２クラッチトルク＋スリップ分トルク）となるように設定される。
【００６４】
ステップＳ83-7では、ステップＳ83-5での第２クラッチCL2にスリップ無しとの判断に続き、（駆動力分−第１クラッチCL1の伝達分）の式により得られたトルクを、目標モータトルクとして設定し、終了へ移行する。
つまり、第１クラッチCL1を介して伝達されるエンジントルクとモータトルクとの和が、駆動力に一致するように目標モータトルクが設定される。
【００６５】
［アクセル踏み込み待機時の制御作用］
ドライバーのアクセル踏み込み操作によりエンジントルクを発生させながらのＮレンジ待機時の制御のうち、エンジントルク制御は、図６のフローチャートにおいて、ステップＳ43-1→ステップＳ43-3→ステップＳ43-4→ステップＳ43-5→ステップＳ43-6へと進み、ステップＳ43-3において、アクセル開度に応じた設定回転数を目標エンジン回転数として設定し、ステップＳ43-4において、回生可能バッテリ電力を設定し、ステップＳ43-5において、目標エンジン回転数と回生可能バッテリ電力に基づきバッテリ入力可能トルクを設定し、ステップＳ43-6において、目標エンジン回転数とアクセル開度に基づき目標回転数エンジントルクを設定する。そして、バッテリ入力回転数トルク<目標回転数エンジントルクの場合は、ステップＳ43-8へ進み、バッテリ入力回転数トルクを目標エンジントルクとし、バッテリ入力回転数トルク≧目標回転数エンジントルクの場合は、ステップＳ43-9へ進み、目標回転数エンジントルクを目標エンジントルクとする。
【００６６】
アクセル踏み込みＮレンジ待機時の制御のうち、第２クラッチ締結トルク制御は、図７のフローチャートにおいて、ステップＳ63-1→ステップＳ63-2へと進み、ステップＳ63-2において、目標第２クラッチ締結トルクが０[Nm]とされる。つまり、第２クラッチCL2は開放される。
【００６７】
アクセル踏み込みＮレンジ待機時の制御のうち、モータトルク制御は、バッテリ入力回転数トルク≦目標エンジントルクの場合は、図８のフローチャートにおいて、ステップＳ83-1→ステップＳ83-2→ステップＳ83-3へと進み、ステップＳ83-3において、バッテリ入力可能トルクの範囲内で、ＰＩフィードバック制御により目標エンジン回転数を維持するトルクを、目標モータトルクとして設定する。一方、バッテリ入力回転数トルク>目標エンジントルクの場合は、図８のフローチャートにおいて、ステップＳ83-1→ステップＳ83-2→ステップＳ83-4へと進み、ステップＳ83-4において、目標エンジントルクの範囲内で、ＰＩフィードバック制御により目標エンジン回転数を維持するトルクを、目標モータトルクとして設定する。
【００６８】
このように、アクセル踏み込みＮレンジ待機時には、目標エンジントルクを、アクセル開度に応じた目標エンジン回転数を得る目標回転数エンジントルクに設定し、目標第２クラッチ締結トルクをゼロとし、目標モータトルクを、前記目標エンジン回転数を維持するトルクに設定する制御が行われる。このため、シフトポジションがＮのときのエンジン・モータトルクには、図９の時点t0から時点t1のトルク特性に示すように、正のエンジントルクに対し負のモータトルクとなる。つまり、エンジンＥからの駆動エネルギーをモータジェネレータMGの回生作動によりバッテリ電力として回収することができる。
【００６９】
シフトポジションがＮのときの回転数は、図９の時点t0から時点t1の回転数特性に示すように、アクセル開度に応じた目標エンジン回転数を維持するモータトルク制御により、エンジン・モータ回転数が一定に保たれる。また、第２クラッチCL2の差回転は、自動変速機AT内の第２クラッチCL2より上流側のギヤトレーンにより減速した回転数と出力回転数（＝０）との差であらわれる。
【００７０】
シフトポジションがＮのときのクラッチトルク容量は、図９の時点t0から時点t1のクラッチトルク容量特性に示すように、第１クラッチCL1は完全締結状態であり、第２クラッチCL2は開放状態である。なお、シフトポジションがＮのときの駆動力は、図９の時点t0から時点t1の駆動力特性に示すように、駆動力がゼロに維持される。
【００７１】
したがって、発進前のシフトポジションがＮのときには、エンジントルクとモータトルクの差である第２クラッチCL2への入力トルクをほぼゼロに保ったままでパワーオン発進に待機できる。また、アクセル開度に応じた目標エンジン回転数を維持するモータトルク制御により、エンジン・モータ回転数が一定に保たれるため、第２クラッチCL2の差回転も一定回転数を保ったままでパワーオン発進に待機できる。
【００７２】
さらに、モータジェネレータMGに接続されるバッテリ４への入力可能電力に基づくバッテリ入力可能トルクを制限値とし、目標エンジントルクと目標モータトルクを設定するようにしているため、可能な限りバッテリ４への充電を行いながらも、過充電を確実に防止することができる。
【００７３】
［発進開始から第２クラッチの入出力回転が同期するまでの制御作用］
Ｎ→Ｄセレクトによる発進開始から第２クラッチCL2の入出力回転が同期するまでの制御のうち、エンジントルク制御は、図６のフローチャートにおいて、ステップＳ43-1→ステップＳ43-2へと進み、ステップＳ43-2において、アクセル開度に応じた駆動力要求に対しモータトルクを考慮した目標エンジントルクに設定される。
【００７４】
Ｎ→Ｄセレクトによる発進開始から第２クラッチCL2の入出力回転が同期するまでの制御のうち、第２クラッチ締結トルク制御は、図７のフローチャートにおいて、ステップＳ63-1→ステップＳ63-3→ステップＳ63-4→ステップＳ63-5へと進み、ステップＳ63-4において、アクセル開度に応じた設定回転数を目標エンジン回転数として設定し、ステップＳ63-5において、目標エンジン回転数によりマップで設定されるクラッチトルクを、最終第２クラッチ締結トルクとして設定する。そして、ステップＳ63-6において、現在第２クラッチ締結トルク<最終第２クラッチ締結トルクと判断された場合は、ステップＳ63-7へ進み、目標第２クラッチ締結トルクが徐々に高められる。また、ステップＳ63-6において、現在第２クラッチ締結トルク≧最終第２クラッチ締結トルクと判断された場合は、ステップＳ63-8へ進み、目標第２クラッチ締結トルクが制限値である最終第２クラッチ締結トルクとされる。
【００７５】
Ｎ→Ｄセレクトによる発進開始から第２クラッチCL2の入出力回転が同期するまでの制御のうち、モータトルク制御は、図８のフローチャートにおいて、ステップＳ83-1→ステップＳ83-5→ステップＳ83-6へと進み、ステップＳ83-6において、目標回転数エンジントルクとの差であらわされる第２クラッチCL2への入力トルクが、（目標第２クラッチ締結トルク＋スリップ分トルク）となるように目標モータトルクが設定される。
【００７６】
このように、Ｎ→Ｄセレクトによる発進開始から第２クラッチCL2の入出力回転が同期するまでの間は、目標エンジントルクを、モータトルクを考慮しながら駆動力要求を満たすトルクに設定し、目標第２クラッチ締結トルクを、アクセル開度に応じた目標エンジン回転数を維持する第２クラッチ締結トルクとし、目標モータトルクを、第２クラッチCL2への入力トルクが、目標第２クラッチ締結トルクによる伝達トルク分と第２クラッチCL2の滑り分トルクとを加算したトルクとなるように制御される。
【００７７】
このため、Ｎ→Ｄセレクトによる発進開始直後のエンジン・モータトルクは、図９の時点t1から時点t2のトルク特性に示すように、正のエンジントルクに対し負のモータトルクを徐々に減少させる。そして、時点t2から第２クラッチCL2の入出力回転が同期する時点t3までは、正のエンジントルクに対し減少した負のモータトルクをほぼ維持したままとされる。
【００７８】
Ｎ→Ｄセレクトによる発進開始直後の回転数は、図９の時点t1から時点t2の回転数特性に示すように、エンジン・モータ回転数は僅かに低下する。また、第２クラッチCL2の差回転は、Ｎレンジ待機時の差回転から低下を開始し、第２クラッチCL2の出力回転はゼロから上昇を開始する。そして、時点t2から第２クラッチCL2の入出力回転が同期する時点t3までは、エンジン・モータ回転数は僅かに上下するもののほぼ一定回転数に保たれ、第２クラッチCL2の差回転は、時間の経過と共にゼロに収束するように低下し、第２クラッチCL2の出力回転は上昇する。
【００７９】
Ｎ→Ｄセレクトによる発進開始直後のクラッチトルク容量は、図９の時点t1から時点t2のクラッチトルク容量特性に示すように、第１クラッチCL1は完全締結状態のままであり、第２クラッチCL2は開放状態から最終第２クラッチ締結トルクまで立ち上がる。そして、時点t2から第２クラッチCL2の入出力回転が同期する時点t3までは、第２クラッチCL2のクラッチトルク容量は最終第２クラッチ締結トルクに維持される。
【００８０】
Ｎ→Ｄセレクトによる発進開始直後の駆動力は、図９の時点t1から時点t2の駆動力特性に示すように、第２クラッチCL2の締結トルク立ち上がりに応じて立ち上がる。そして、時点t2から第２クラッチCL2の入出力回転が同期する時点t3までは、第２クラッチCL2の最終第２クラッチ締結トルクに応じて一定駆動力に維持される。
【００８１】
したがって、パワーオン発進時、第２クラッチCL2への入力トルクがモータジェネレータMGに対するトルク制御により、第２クラッチCL2の締結トルク分にスリップ分トルクを加算したレベルに絞られ、かつ、第２クラッチCL2を滑り締結させることで駆動力が出される。すなわち、第２クラッチCL2への入力トルクは、エンジントルクとモータトルクとの和により決まるが、エンジントルク制御は行わず、モータトルクを負のトルク（回生トルク）とする制御を行うことで、第２クラッチCL2への入力トルクがエンジントルクに比べて絞られる。このため、入力トルクと差回転に応じて発熱する滑り締結状態の第２クラッチCL2では、入力トルクの絞りと差回転の低下によりクラッチ温度上昇が抑えられ、第２クラッチCL2の熱損傷を低減できる。加えて、第２クラッチCL2への入力トルクを絞る際、制御応答の速いモータジェネレータMGに対するモータトルク制御により行うようにしているため、発進開始直後から、応答良く第２クラッチCL2への入力トルクが絞られることになり、エンジンＥのトルクダウン制御を行う場合に比べ、高いトルクダウン応答性が確保される。
【００８２】
さらに、目標クラッチ締結トルクに制限値を設け、該制限値を、第２クラッチCL2の滑り量と現在の油温から、完全締結時におけるクラッチフェーシング温度上昇を求め、この温度上昇によりクラッチ保護温度内に収まる最も高い締結トルク（＝最終第２クラッチ締結トルク）とするため、制限した分、第２クラッチCL2に入力されるトルクを低減でき、第２クラッチCL2の損傷をより低減できる。
【００８３】
［第２クラッチの入出力回転が同期した後の制御作用］
第２クラッチCL2の入出力回転が同期した後の制御のうち、エンジントルク制御は、図６のフローチャートにおいて、ステップＳ43-1→ステップＳ43-2へと進み、ステップＳ43-2において、アクセル開度に応じた駆動力要求に対しモータトルクを考慮した目標エンジントルクに設定される。
【００８４】
第２クラッチCL2の入出力回転が同期した後の制御のうち、第２クラッチ締結トルク制御は、図７のフローチャートにおいて、ステップＳ63-1→ステップＳ63-3→ステップＳ63-9へと進み、ステップＳ63-9において、通常のエンジン走行中の目標第２クラッチ締結トルクが設定される。つまり、第２クラッチCL2の締結トルクが完全締結によるトルクレベルまで所定勾配にて高められる。
【００８５】
第２クラッチCL2の入出力回転が同期した後の制御のうち、モータトルク制御は、図８のフローチャートにおいて、ステップＳ83-1→ステップＳ83-5→ステップＳ83-7へと進み、ステップＳ83-7において、目標エンジントルクとの和で所望の駆動力を達成するように目標モータトルクが設定される。
【００８６】
このように、第２クラッチCL2の入出力回転が同期すると、同期した時点から直ちに第２クラッチCL2を完全締結するように、目標第２クラッチ締結トルクを完全締結レベルのトルクまで高める制御が実行される。
【００８７】
このため、第２クラッチCL2の入出力回転が同期した直後のエンジン・モータトルクは、図９の時点t3から時点t4のトルク特性に示すように、エンジントルクのトルクレベルを維持したままで、負であったモータトルクがゼロトルクに移行する。そして、時点t4以降は、エンジントルクとモータトルクとが上昇して駆動力を出す「エンジン走行モード」に入る。
【００８８】
第２クラッチCL2の入出力回転が同期した直後の回転数は、図９の時点t3から時点t4の回転数特性に示すように、エンジン・モータ回転数は上昇する。また、第２クラッチCL2の差回転はゼロを維持し、第２クラッチCL2の出力回転は上昇する。そして、時点t4以降は、エンジン・モータ回転数は上昇を続け、第２クラッチCL2の差回転はゼロが維持され、第２クラッチCL2の出力回転は上昇する。
【００８９】
第２クラッチCL2の入出力回転が同期した直後のクラッチトルク容量は、図９の時点t3から時点t4のクラッチトルク容量特性に示すように、目標第２クラッチ締結トルクは完全締結トルクまで立ち上がるが、実第２クラッチ締結トルクは完全締結トルクに対し応答遅れを持って立ち上がる。そして、時点t4以降は、第２クラッチCL2のクラッチトルク容量は完全締結トルクレベルまで上昇する。
【００９０】
Ｎ→Ｄセレクトによる発進開始直後の駆動力は、図９の時点t3から時点t4の駆動力特性に示すように、第２クラッチCL2のクラッチトルク容量の立ち上がりに応じて立ち上がる。そして、時点t4以降は、第２クラッチCL2のクラッチトルク容量の立ち上がりに応じて目標駆動力まで立ち上がる。
【００９１】
したがって、パワーオン発進時、スリップ締結されている第２クラッチCL2の入力回転と出力回転とが同期した時点で、第２クラッチCL2を完全締結するようにしたため、第２クラッチCL2が完全締結してから大トルクを自動変速機ATに入力することになる。このため、第２クラッチCL2の損傷を低減できると共に、入出力の回転同期締結することで、滑らかな実駆動力特性からも明らかなように、パワーオン発進時にＮ→Ｄセレクトショックを抑えることができる。
【００９２】
次に、効果を説明する。
実施例１のハイブリッド車両の発進制御装置にあっては、下記に列挙する効果を得ることができる。
【００９３】
(1) 少なくともエンジンＥ、モータジェネレータMG、第２クラッチCL2、駆動輪RR,RLの順に接続してハイブリッド駆動系を構成したハイブリッド車両において、ドライバのアクセル踏み込み操作による待機状態からの発進時、前記第２クラッチCL2への入力トルクを前記モータジェネレータMGに対するトルク制御により絞り、かつ、前記第２クラッチCL2を滑り締結させることで駆動力を出すパワーオン発進制御手段を設けたため、アクセル踏み込み待機からのパワーオン発進時、発進開始からの高いトルクダウン応答による有効なクラッチ発熱の低減により第２クラッチCL2の保護を達成することができる。
【００９４】
(2) 前記パワーオン発進制御手段は、前記滑り締結されている第２クラッチCL2の入力回転と出力回転とが同期した時点で、前記第２クラッチCL2を完全締結するため、第２クラッチCL2の損傷を低減できると共に、パワーオン発進時にＮ→Ｄセレクトショックを抑えることができる。
【００９５】
(3) 前記パワーオン発進制御手段は、アクセル踏み込み待機時、目標エンジントルクを、アクセル開度に応じた目標エンジン回転数を得る目標回転数エンジントルクに設定し、目標クラッチ締結トルクをゼロとし、目標モータトルクを、前記目標エンジン回転数を維持するトルクに設定するため、第２クラッチCL2への入力トルクをほぼゼロに保ったままで、かつ、第２クラッチCL2の差回転も一定回転数を保ったままでパワーオン発進に待機することができる。
【００９６】
(4) 前記パワーオン発進制御手段は、前記モータジェネレータMGに接続されるバッテリ４への入力可能電力に基づくバッテリ入力可能トルクを制限値とし、前記目標エンジントルクと前記目標モータトルクを設定するため、燃費性能の良い「EV走行モード」の継続時間を確保できるように、可能な限りバッテリ４への充電を行いながらも、過充電を確実に防止することができる。
【００９７】
(5) 前記パワーオン発進制御手段は、発進開始から前記第２クラッチCL2の入出力回転が同期するまで、目標エンジントルクを、モータトルクを考慮しながら駆動力要求を満たすトルクに設定し、目標クラッチ締結トルクを、アクセル開度に応じた目標エンジン回転数を維持するクラッチ締結トルクとし、目標モータトルクを、前記第２クラッチCL2への入力トルクが、前記目標クラッチ締結トルクによる伝達トルク分と前記第２クラッチCL2の滑り分トルクとを加算したトルクとなるように制御するため、エンジン回転数の維持により第２クラッチCL2への入力トルクを最小に抑えることができ、パワーオン発進時にもかかわらず確実にクラッチ保護を達成できる。
【００９８】
(6) 前記パワーオン発進制御手段は、前記目標クラッチ締結トルクに制限値を設け、該制限値を、クラッチ滑り量と現在の油温から、完全締結時におけるクラッチフェーシング温度上昇を求め、この温度上昇によりクラッチ保護温度内に収まる最も高い締結トルクとするため、制限により第２クラッチCL2に入力されるトルクを低減でき、第２クラッチCL2の耐久信頼性を確保することができる。
【００９９】
(7) 前記ハイブリッド駆動系は、エンジンＥとモータジェネレータMGとの間に第１クラッチCL1を介装すると共に前記モータジェネレータMGと駆動輪RR,RLとの間に第２クラッチCL2を介装して構成し、前記第２クラッチCL2は、モータジェネレータMGの下流に配置されたクラッチに相当すると共に、前記モータジェネレータMGと前記駆動輪RR,RLとの間に配置された自動変速機AT内の発進締結要素であるため、第２クラッチCL2を新たに追加する構成に比べ、コスト的に有利であるばかりでなく、「エンジン走行モード」以外に第１クラッチCL1の開放によりエンジンＥを連れ回すことのない「EV走行モード」を選択することができる自由度を持つことができる。
【実施例２】
【０１００】
実施例２は、パワーオン発進時に駆動力の立ち上がりを良好にし、発進性能を高めるようにした例である。なお、構成的には、実施例１の図１と同様であるので、図示並びに説明を省略する。
【０１０１】
次に、作用を説明する。
ハイブリッド駆動制御の全体処理、目標エンジントルクの演算処理、目標クラッチ締結トルクの演算処理、目標モータトルクの演算処理、エンジン走行モード中の目標エンジントルクの演算処理については、実施例１の図２〜図６と同様であるので、図示並びに説明を省略する。
【０１０２】
［エンジン走行モード中の目標クラッチトルクの演算処理］
図１０は図４のステップＳ63にて実行される実施例２におけるエンジン走行モード中の目標クラッチトルクの演算処理の流れを示すフローチャートで、以下、各ステップについて説明する。
【０１０３】
ステップＳ63-21では、車速≦判定閾値、かつ、要求駆動力≦０、かつ、アクセル開度>０か否かが判断され、YESの場合はステップＳ63-22へ移行し、NOの場合はステップＳ63-23へ移行する。なお、ステップＳ43-1と同様に、車速≦判定閾値、かつ、要求駆動力≦０という判断に代え、インヒビタースイッチ２４によりＮレンジ位置の選択判断を行っても良い。
【０１０４】
ステップＳ63-22では、ステップＳ63-21での車速条件、要求駆動力条件、アクセル開度条件の３条件成立との判断に続き、目標第２クラッチトルクに０[Nm]（第２クラッチCL2の開放）を代入し、終了へ移行する。
【０１０５】
ステップＳ63-23では、ステップＳ63-21での車速条件、要求駆動力条件、アクセル開度条件の少なくとも１つの条件が成立しないとの判断に続き、第２クラッチCL2にスリップがあるか否かが判断され、YESの場合はステップＳ63-24へ移行し、NOの場合はステップＳ63-27へ移行する。
【０１０６】
ステップＳ63-24では、ステップＳ63-23での第２クラッチCL2にスリップがあるとの判断に続き、現在エンジン回転数が自立エンジン回転数未満かどうかが判断され、YESの場合はステップＳ63-25へ移行し、NOの場合はステップＳ63-26へ移行する。
【０１０７】
ステップＳ63-25では、ステップＳ63-24での現在エンジン回転数<自立可能回転数との判断に続き、前回の目標第２クラッチ締結トルクから設定トルク分だけ低下する値を、今回の目標第２クラッチ締結トルクとして設定し、終了へ移行する。
【０１０８】
ステップＳ63-26では、ステップＳ63-24での現在エンジン回転数≧自立可能回転数との判断に続き、アクセル開度から加速要求を判断し、トルクの出し方を決め、その値を目標第２クラッチ締結トルクとして設定し、終了へ移行する。
ここで、目標第２クラッチ締結トルクの出し方は、アクセル開度が大であるほど上昇傾き勾配値を大きな値とするランプ制御を実行できるように、制御周期毎にトルク上昇分を積み上げ加算して目標第２クラッチ締結ルクを設定する。
【０１０９】
ステップＳ63-27では、ステップＳ63-23での第２クラッチCL2にスリップが無いとの判断に続き、通常のエンジン走行中における目標第２クラッチ締結トルクの演算を実施し、終了へ移行する。
【０１１０】
［エンジン走行モード中の目標モータトルクの演算処理］
図１１は図５のステップＳ83にて実行される実施例２におけるエンジン走行モード中の目標モータトルクの演算処理の流れを示すフローチャートで、以下、各ステップについて説明する。
【０１１１】
ステップＳ83-21では、車速≦判定閾値、かつ、要求駆動力≦０、かつ、アクセル開度>０か否かが判断され、YESの場合はステップＳ83-22へ移行し、NOの場合はステップＳ83-23へ移行する。なお、ステップＳ43-1と同様に、車速≦判定閾値、かつ、要求駆動力≦０という判断に代え、インヒビタースイッチ２４によりＮレンジ位置の選択判断を行っても良い。
【０１１２】
ステップＳ83-22では、ステップＳ83-21での車速条件、要求駆動力条件、アクセル開度条件の３条件成立との判断に続き、目標モータトルクを０[Nm]に設定し、終了へ移行する。
【０１１３】
ステップＳ83-23では、ステップＳ83-21での車速条件、要求駆動力条件、アクセル開度条件の少なくとも１つの条件が成立しないとの判断に続き、第２クラッチCL2にスリップがあるか否かを判断し、YESの場合はステップＳ83-24へ移行し、NOの場合はステップＳ83-25へ移行する。
【０１１４】
ステップＳ83-24では、ステップＳ83-23での第２クラッチCL2にスリップがあるとの判断に続き、｛目標回転数エンジントルク−（目標第２クラッチ締結トルク＋エンジン回転数を低下させるイナーシャ分トルク）｝の式により得られた正のトルクを、符合反転した負の目標モータトルクとして設定し、終了へ移行する。
つまり、第２クラッチCL2が滑り締結状態での目標モータトルクとして、目標回転数エンジントルクとの差であらわされる第２クラッチCL2への入力トルクが、（目標第２クラッチ締結トルク＋エンジン回転数を低下させるイナーシャ分トルク）となるように設定される。
【０１１５】
ステップＳ83-25では、ステップＳ83-23での第２クラッチCL2にスリップ無しとの判断に続き、（駆動力分−第１クラッチCL1の伝達分）の式により得られたトルクを、目標モータトルクとして設定し、終了へ移行する。
つまり、第１クラッチCL1を介して伝達されるエンジントルクとモータトルクとの和が、駆動力に一致するように目標モータトルクが設定される。
【０１１６】
［アクセル踏み込み待機時の制御作用］
ドライバーのアクセル踏み込み操作によりエンジントルクを発生させながらのＮレンジ待機時の制御のうち、エンジントルク制御は、図６のフローチャートにおいて、ステップＳ43-1→ステップＳ43-3→ステップＳ43-4→ステップＳ43-5→ステップＳ43-6へと進み、ステップＳ43-3において、アクセル開度に応じた設定回転数を目標エンジン回転数として設定し、ステップＳ43-4において、回生可能バッテリ電力を設定し、ステップＳ43-5において、目標エンジン回転数と回生可能バッテリ電力に基づきバッテリ入力可能トルクを設定し、ステップＳ43-6において、目標エンジン回転数とアクセル開度に基づき目標回転数エンジントルクを設定する。そして、バッテリ入力回転数トルク<目標回転数エンジントルクの場合は、ステップＳ43-8へ進み、バッテリ入力回転数トルクを目標エンジントルクとし、バッテリ入力回転数トルク≧目標回転数エンジントルクの場合は、ステップＳ43-9へ進み、目標回転数エンジントルクを目標エンジントルクとする。
【０１１７】
アクセル踏み込みＮレンジ待機時の制御のうち、第２クラッチ締結トルク制御は、図１０のフローチャートにおいて、ステップＳ63-21→ステップＳ63-22へと進み、ステップＳ63-22において、目標第２クラッチ締結トルクが０[Nm]とされる。つまり、第２クラッチCL2は開放される。
【０１１８】
アクセル踏み込みＮレンジ待機時の制御のうち、モータトルク制御は、バッテリ入力回転数トルク≦目標エンジントルクの場合は、図１１のフローチャートにおいて、ステップＳ83-21→ステップＳ83-22へと進み、ステップＳ83-22において、目標モータトルクとして０[Nm]を設定する。
【０１１９】
このように、アクセル踏み込みＮレンジ待機時には、目標エンジントルクを、アクセル開度に応じた目標エンジン回転数を得る目標回転数エンジントルクに設定し、目標第２クラッチ締結トルクをゼロとし、目標モータトルクをゼロに設定する制御が行われる。このため、シフトポジションがＮのときのエンジン・モータトルクには、図１２の時点t0から時点t1のトルク特性に示すように、エンジントルクの発生に対しモータトルクはゼロとなる。
【０１２０】
シフトポジションがＮのときの回転数は、図１２の時点t0から時点t1の回転数特性に示すように、アクセル開度に応じた目標エンジン回転数を維持するモータトルク制御により、エンジン・モータ回転数が一定に保たれる。また、第２クラッチCL2の差回転は、自動変速機AT内の第２クラッチCL2より上流側のギヤトレーンにより減速した回転数と出力回転数（＝０）との差であらわれる。
【０１２１】
シフトポジションがＮのときのクラッチトルク容量は、図１２の時点t0から時点t1のクラッチトルク容量特性に示すように、第１クラッチCL1は完全締結状態であり、第２クラッチCL2は開放状態である。なお、シフトポジションがＮのときの駆動力は、図１２の時点t0から時点t1の駆動力特性に示すように、駆動力がゼロに維持される。
【０１２２】
したがって、発進前のシフトポジションがＮのときには、エンジントルクのみを出したままでパワーオン発進に待機できる。また、アクセル開度に応じた目標エンジン回転数を維持するモータトルク制御により、エンジン・モータ回転数が一定に保たれるため、第２クラッチCL2の差回転も一定回転数を保ったままでパワーオン発進に待機できる。
【０１２３】
［発進開始から第２クラッチの入出力回転が同期するまでの制御作用］
Ｎ→Ｄセレクトによる発進開始から第２クラッチCL2の入出力回転が同期するまでの制御のうち、エンジントルク制御は、図６のフローチャートにおいて、ステップＳ43-1→ステップＳ43-2へと進み、ステップＳ43-2において、アクセル開度に応じた駆動力要求に対しモータトルクを考慮した目標エンジントルクに設定される。
【０１２４】
Ｎ→Ｄセレクトによる発進開始から第２クラッチCL2の入出力回転が同期するまでの制御のうち、第２クラッチ締結トルク制御は、図１０のフローチャートにおいて、ステップＳ63-21→ステップＳ63-23→ステップＳ63-24へと進み、ステップＳ63-24において、現在エンジン回転数<自立可能回転数と判断された場合は、ステップＳ63-25へ進み、エンジン回転数が自立可能回転数以上となるまで回復するように、目標第２クラッチ締結トルクが設定トルク分だけ低下させられる。また、ステップＳ63-24において、現在エンジン回転数≧自立可能回転数と判断された場合は、ステップＳ63-26へ進み、目標第２クラッチ締結トルクがアクセル開度の大きいほど大きなトルク分が制御周期毎に加算される。
【０１２５】
Ｎ→Ｄセレクトによる発進開始から第２クラッチCL2の入出力回転が同期するまでの制御のうち、モータトルク制御は、図１１のフローチャートにおいて、ステップＳ83-21→ステップＳ83-23→ステップＳ83-24へと進み、ステップＳ83-24において、目標回転数エンジントルクとの差であらわされる第２クラッチCL2への入力トルクが、（目標第２クラッチ締結トルク＋エンジン回転を低下させるイナーシャ分トルク）となるように目標モータトルクが設定される。
【０１２６】
このように、Ｎ→Ｄセレクトによる発進開始から第２クラッチCL2の入出力回転が同期するまでの間は、目標エンジントルクを、モータトルクを考慮しながら駆動力要求を満たすトルクに設定し、目標第２クラッチ締結トルクを、エンジン回転数を低下させるように高くする第２クラッチ締結トルクとし、目標モータトルクを、第２クラッチCL2への入力トルクが、目標第２クラッチ締結トルクによる伝達トルク分とエンジン回転数を低下させるイナーシャ分トルクとを加算したトルクとなるように制御される。
【０１２７】
このため、Ｎ→Ｄセレクトによる発進開始直後のエンジン・モータトルクは、図１２の時点t1から時点t2のトルク特性に示すように、エンジントルクを維持したままでモータトルクを大きく負側（回生トルク側）に出して第２クラッチCL2への入力トルクが絞られる。そして、時点t2から第２クラッチCL2の入出力回転が同期する時点t3までは、正のエンジントルクに対し減少した負のモータトルクを第２クラッチCL2のクラッチトルク容量の緩やかな増大に比例して回生量を徐々に減少させる特性とされる。
【０１２８】
Ｎ→Ｄセレクトによる発進開始直後の回転数は、図１２の時点t1から時点t2の回転数特性に示すように、エンジン・モータ回転数は僅かに低下する。また、第２クラッチCL2の差回転は、Ｎレンジ待機時の差回転から低下を開始し、第２クラッチCL2の出力回転はゼロから上昇を開始する。そして、時点t2から第２クラッチCL2の入出力回転が同期する時点t3までは、エンジン・モータ回転数はエンジン自立可能回転数を下限として低下する。第２クラッチCL2の差回転は、時間の経過と共にゼロに収束するように低下し、第２クラッチCL2の出力回転は、実施例１より大きな勾配で上昇する。
【０１２９】
Ｎ→Ｄセレクトによる発進開始直後のクラッチトルク容量は、図１２の時点t1から時点t2のクラッチトルク容量特性に示すように、第１クラッチCL1は完全締結状態のままであり、第２クラッチCL2は開放状態から所定トルクまで立ち上がる。そして、時点t2から第２クラッチCL2の入出力回転が同期する時点t3までは、第２クラッチCL2のクラッチトルク容量は、時間の経過と共に徐々に増大するトルク容量とされる。
【０１３０】
Ｎ→Ｄセレクトによる発進開始直後の駆動力は、図１２の時点t1から時点t2の駆動力特性に示すように、第２クラッチCL2のクラッチトルク容量の立ち上がりに応じて立ち上がる。そして、時点t2から第２クラッチCL2の入出力回転が同期する時点t3までは、同様に、第２クラッチCL2のクラッチトルク容量の緩やかな上り勾配に応じて高められる駆動力特性とされる。
【０１３１】
したがって、パワーオン発進時、第２クラッチCL2への入力トルクがモータジェネレータMGに対するトルク制御により、第２クラッチCL2の締結トルク分にエンジン回転数を低下させるイナーシャ分トルクを加算したレベルに絞られ、かつ、第２クラッチCL2を滑り締結させることで駆動力が出される。すなわち、第２クラッチCL2への入力トルクは、エンジントルクとモータトルクとの和により決まるが、エンジントルク制御は行わず、モータトルクを負のトルク（回生トルク）とする制御を行うことで、第２クラッチCL2への入力トルクがエンジントルクに比べて絞られる。このため、入力トルクと差回転に応じて発熱する滑り締結状態の第２クラッチCL2では、入力トルクの絞りと差回転の低下によりクラッチ温度上昇が抑えられ、第２クラッチCL2の熱損傷を低減できる。加えて、第２クラッチCL2への入力トルクを絞る際、制御応答の速いモータジェネレータMGに対するモータトルク制御により行うようにしているため、発進開始直後から、応答良く第２クラッチCL2への入力トルクが絞られることになり、エンジンＥのトルクダウン制御を行う場合に比べ、高いトルクダウン応答性が確保される。
【０１３２】
さらに、実施例２において、第２クラッチCL2では、エンジンＥの回転を下げるためのイナーシャ分のトルクを熱に替える必要が無くなり、第２クラッチCL2の締結トルク分のみが第２クラッチCL2の負荷として伝わるため、第２クラッチCL2自体の発熱が少なくなり、クラッチ損傷を少なくできる。
【０１３３】
さらに、実施例２において、Ｎ→Ｄセレクト時の第２クラッチCL2の締結トルクは、アクセル踏み込み量（＝アクセル開度）によってドライバの加速要求を判断し、要求駆動力をすぐに実現するシーンでは、ランプ制御により傾きをきつくして締結トルク指令を出すようにし、また、要求駆動力をゆっくりと実現するシーンでは、ランプ制御により傾きを緩やかにして締結トルク指令を出すようにしている。これによって、ドライバの加速要求に応じた加速発進性能を得ることができる。
【０１３４】
加えて、上記のように、加速要求を実現するために、第２クラッチCL2のクラッチトルク容量を高めるようにしているが、第２クラッチCL2のクラッチトルク容量を高めるとエンジンＥにとって負荷が高まることで、回転数が下がってしまう。これに対し、実施例２では、エンジン回転数が自立可能回転数を下回ると第２クラッチCL2のクラッチトルク容量を設定トルク分だけ低くすることで、加速要求を最大限実現しつつも、エンジンＥの自立回転を維持することができる。
【０１３５】
［第２クラッチの入出力回転が同期した後の制御作用］
第２クラッチCL2の入出力回転が同期した後の制御のうち、エンジントルク制御は、図６のフローチャートにおいて、ステップＳ43-1→ステップＳ43-2へと進み、ステップＳ43-2において、アクセル開度に応じた駆動力要求に対しモータトルクを考慮した目標エンジントルクに設定される。
【０１３６】
第２クラッチCL2の入出力回転が同期した後の制御のうち、第２クラッチ締結トルク制御は、図１０のフローチャートにおいて、ステップＳ63-21→ステップＳ63-23→ステップＳ63-27へと進み、ステップＳ63-27において、通常のエンジン走行中の目標第２クラッチ締結トルクが設定される。つまり、第２クラッチCL2の締結トルクが完全締結によるトルクレベルまで所定勾配にて高められる。
【０１３７】
第２クラッチCL2の入出力回転が同期した後の制御のうち、モータトルク制御は、図１１のフローチャートにおいて、ステップＳ83-21→ステップＳ83-23→ステップＳ83-25へと進み、ステップＳ83-25において、目標エンジントルクとの和で所望の駆動力を達成するように目標モータトルクが設定される。
【０１３８】
このように、第２クラッチCL2の入出力回転が同期すると、同期した時点から直ちに第２クラッチCL2を完全締結するように、目標第２クラッチ締結トルクを完全締結レベルのトルクまで高める制御が実行される。
【０１３９】
このため、第２クラッチCL2の入出力回転が同期した直後のエンジン・モータトルクは、図１２の時点t3から時点t4のトルク特性に示すように、エンジントルクのトルクレベルを維持したままで、負であったモータトルクがゼロトルクに移行する。そして、時点t4以降は、エンジントルクとモータトルクとが上昇して駆動力を出す「エンジン走行モード」に入る。
【０１４０】
第２クラッチCL2の入出力回転が同期した直後の回転数は、図１２の時点t3から時点t4の回転数特性に示すように、エンジン・モータ回転数は上昇する。また、第２クラッチCL2の差回転はゼロを維持し、第２クラッチCL2の出力回転は上昇する。そして、時点t4以降は、エンジン・モータ回転数は上昇を続け、第２クラッチCL2の差回転はゼロが維持され、第２クラッチCL2の出力回転は上昇する。
【０１４１】
第２クラッチCL2の入出力回転が同期した直後のクラッチトルク容量は、図１２の時点t3から時点t4のクラッチトルク容量特性に示すように、目標第２クラッチ締結トルクは完全締結トルクまで立ち上がるが、実第２クラッチ締結トルクは完全締結トルクに対し応答遅れを持って立ち上がる。そして、時点t4以降は、第２クラッチCL2のクラッチトルク容量は完全締結トルクレベルまで上昇する。
【０１４２】
Ｎ→Ｄセレクトによる発進開始直後の駆動力は、図１２の時点t3から時点t4の駆動力特性に示すように、第２クラッチCL2のクラッチトルク容量の立ち上がりに応じて立ち上がる。そして、時点t4以降は、第２クラッチCL2のクラッチトルク容量の立ち上がりに応じて目標駆動力まで立ち上がる。
【０１４３】
したがって、パワーオン発進時、スリップ締結されている第２クラッチCL2の入力回転と出力回転とが同期した時点で、第２クラッチCL2を完全締結するようにしたため、第２クラッチCL2が完全締結してから大トルクを自動変速機ATに入力することになる。このため、第２クラッチCL2の損傷を低減できると共に、入出力の回転同期締結することで、滑らかな実駆動力特性からも明らかなように、パワーオン発進時にＮ→Ｄセレクトショックを抑えることができる。
【０１４４】
次に、効果を説明する。
実施例２のハイブリッド車両の発進制御装置にあっては、実施例１の(1),(2),(7)の効果に加え、下記に列挙する効果を得ることができる。
【０１４５】
(8) 前記パワーオン発進制御手段は、アクセル踏み込み待機時、目標エンジントルクを、アクセル開度に応じた目標エンジン回転数を得る目標回転数エンジントルクに設定し、目標クラッチ締結トルクをゼロとし、目標モータトルクをゼロに設定するため、第２クラッチCL2の差回転を一定回転数を保ったままでパワーオン発進に待機することができる。
【０１４６】
(9) 前記パワーオン発進制御手段は、発進開始から前記クラッチの入出力回転が同期するまで、目標エンジントルクを、モータトルクを考慮しながら駆動力要求を満たすトルクに設定し、目標クラッチ締結トルクを、エンジン回転数を低下させるように高くするクラッチ締結トルクとし、目標モータトルクを、第２クラッチCL2への入力トルクが、前記目標クラッチ締結トルクによる伝達トルク分と前記エンジン回転数を低下させるイナーシャ分トルクとを加算したトルクとなるように制御するため、第２クラッチCL2の締結トルク容量分のみが第２クラッチCL2の負荷として伝わることで、第２クラッチCL2自体の発熱が少なくなり、クラッチ損傷を低減することができると共に、第２クラッチCL2が完全締結するまでの間も駆動力が上昇することで、発進加速性能を向上することができる。
【０１４７】
(10) 前記パワーオン発進制御手段は、アクセル踏み込み状況によってドライバの加速要求を判断し、前記目標クラッチ締結トルクを、加速要求に応じて高めるため、アクセルワークにあらわれたドライバの加速要求に応じて加速発進性能を得ることができる。
【０１４８】
(11) 前記目標クラッチ締結トルクは、アクセル開度が大であるほど上昇傾き勾配値が大きなランプ制御により高めるため、ステップ的な駆動力変動を生じることなく、アクセル開度にあらわれたドライバの加速要求に応じて加速発進性能を得ることができる。
【０１４９】
以上、本発明のハイブリッド車両の発進制御装置を実施例１及び実施例２に基づき説明してきたが、具体的な構成については、これらの実施例に限られるものではなく、特許請求の範囲の各請求項に係る発明の要旨を逸脱しない限り、設計の変更や追加等は許容される。
【０１５０】
実施例１では、パワーオン発進時に、エンジン回転数を一定回転数に維持する第２クラッチの滑り締結制御を行う例を示し、実施例２では、パワーオン発進時に、エンジン回転数を低下させる第２クラッチの滑り締結制御を行う例を示したが、例えば、パワーオン発進時に、エンジン回転数をステップ的に変化させる第２クラッチの滑り締結制御を行っても良く、要するに、パワーオン発進時、クラッチへの入力トルクをモータジェネレータに対するトルク制御により絞り、かつ、クラッチを滑り締結させることで駆動力を出すパワーオン発進制御手段を設けたものであれば本発明に含まれる。
【０１５１】
実施例１，２では、パワーオン発進制御手段として、滑り締結されている第２クラッチの入力回転と出力回転とが同期した時点で、第２クラッチを完全締結する例を示したが、例えば、加速要求が大きいパワーオン発進時等においては、多少のセレクトショックの発生もドライバが許容することから、第２クラッチの入出力回転が同期する前に完全締結するようにしても良い。
【０１５２】
実施例２では、ドライバの加速要求をアクセル開度のみにより判断する例を示したが、アクセル開度の変化速度により判断したり、アクセル開度とアクセル開度変化速度を併用して判断しても良い。
【０１５３】
実施例２では、ドライバの加速要求に対しクラッチ締結容量が上昇する勾配の傾きを変えるランプ制御により対応する例を示したが、例えば、クラッチに滑りが発生する範囲内で、低めのステップ指令や高めのステップ指令により対応するようにしても良い。
【産業上の利用可能性】
【０１５４】
実施例１，２では、後輪駆動のハイブリッド車両への適用例を示したが、前輪駆動のハイブリッド車両や四輪駆動のハイブリッド車両へも適用できる。実施例１，２では、第１クラッチと第２クラッチとを備えたハイブリッド駆動系への適用例を示したが、エンジンとモータジェネレータとを直結し、第２クラッチ（＝クラッチ）のみを備えたハイブリッド駆動系にも適用できる。さらに、実施例１，２では、第２クラッチとして自動変速機に内蔵されたクラッチを利用する例を示したが、モータジェネレータと変速機との間に第２クラッチを追加して介装したり、または、変速機と駆動輪との間に第２クラッチを追加して介装（例えば、特開２００２−１４４９２１号公報参照）しても良い。要するに、少なくともエンジン、モータジェネレータ、クラッチ、駆動輪の順に接続してハイブリッド駆動系を構成したハイブリッド車両であれば適用できる。
【図面の簡単な説明】
【０１５５】
【図１】実施例１の発進制御装置が適用された後輪駆動のハイブリッド車両を示す全体システム図である。
【図２】実施例１の統合コントローラにて実行されるハイブリッド駆動制御（エンジン制御・モータ制御・第１クラッチ制御・第２クラッチ制御）の全体処理の流れを示すメインフローチャートである。
【図３】図２のステップＳ４にて実行される目標エンジントルクの演算処理の流れを示すフローチャートである。
【図４】図２のステップＳ６にて実行される目標クラッチトルクの演算処理の流れを示すフローチャートである。
【図５】図２のステップＳ８にて実行される目標モータトルクの演算処理の流れを示すフローチャートである。
【図６】図３のステップＳ43にて実行されるエンジン走行モード中の目標エンジントルクの演算処理の流れを示すフローチャートである。
【図７】図４のステップＳ63にて実行される実施例１におけるエンジン走行モード中の目標クラッチトルクの演算処理の流れを示すフローチャートである。
【図８】図５のステップＳ83にて実行される実施例１におけるエンジン走行モード中の目標モータトルクの演算処理の流れを示すフローチャートである。
【図９】実施例１でのパワーオン発進時におけるアクセル・シフトポジション・トルク・回転数・クラッチトルク容量・駆動力を示すタイムチャートである。
【図１０】図４のステップＳ63にて実行される実施例２におけるエンジン走行モード中の目標クラッチトルクの演算処理の流れを示すフローチャートである。
【図１１】図５のステップＳ83にて実行される実施例２におけるエンジン走行モード中の目標モータトルクの演算処理の流れを示すフローチャートである。
【図１２】実施例２でのパワーオン発進時におけるアクセル・シフトポジション・トルク・回転数・クラッチトルク容量・駆動力を示すタイムチャートである。
【符号の説明】
【０１５６】
Ｅ  エンジン
MG  モータジェネレータ
CL1  第１クラッチ
CL2  第２クラッチ
AT  自動変速機
PS  プロペラシャフト
DF  ディファレンシャル
DSL  左ドライブシャフト
DSR  右ドライブシャフト
RL  左後輪（駆動輪）
RR  右後輪（駆動輪）
１  エンジンコントローラ
２  モータコントローラ
３  インバータ
４  バッテリ
５  第１クラッチコントローラ
６  第１クラッチ油圧ユニット
７  ＡＴコントローラ
８  第２クラッチ油圧ユニット
９  ブレーキコントローラ
１０  統合コントローラ
【図１】
2006315488.tif 000003
【図２】
2006315488.tif 000004
【図３】
2006315488.tif 000005
【図４】
2006315488.tif 000006
【図５】
2006315488.tif 000007
【図６】
2006315488.tif 000008
【図７】
2006315488.tif 000009
【図８】
2006315488.tif 000010
【図９】
2006315488.tif 000011
【図１０】
2006315488.tif 000012
【図１１】
2006315488.tif 000013
【図１２】
2006315488.tif 000014